(57)【特許請求の範囲】
【請求項１】
貼付基材の表面にノンインパクトプリンタ用の第１配送情報記入部とノンインパクトプリンタ及びインパクトプリンタ用の第２配送情報記入部とを設け、前記第２配送情報記入部はその周囲に切り取り線を設けて分離可能となし、前記貼付基材の裏面には、前記切り取り線の外側部分に粘着剤を設けるとともに、この粘着剤を被覆するように保護紙を設け、この保護紙には、前記切り取り線に対応してこれより一回り大きく、かつ、周縁には前記粘着剤が存在するように残存部を切り取り線で区画形成するとともに、前記残存部を除いて剥離可能なように剥離処理を施し、前記残存部の表面には前記第２配送情報記入部の直下に複写用の第３配送情報記入部を設け、前記第２配送情報記入部への記入によって前記第３配送情報記入部に複写記入可能に複写構造を設けたことを特徴とする配送伝票。
【発明の詳細な説明】
【技術分野】
【０００１】
本発明は、配送伝票に関し、特に、配送情報の印字記入を、印圧のかからないレーザープリンタのようなノンインパクトプリンタを使用しても、あるいは印圧のかかるインパクトプリンタを使用しても、好適に行うことができる複写構造を備えた配送伝票に関する。
【背景技術】
【０００２】
従来から、複数枚の配送票を重ねて綴じ合わせてなる複写構造を備えた配送伝票は知られているが、印圧のかからないレーザープリンタのようなノンインパクトプリンタは、複写不可能なので使用できなかった。一方、ノンインパクトプリンタに対応した、複数の配送票を並列的に設けてなる配送伝票も知られているが、同一情報を複数箇所に印字することが必要となるので、インパクトプリンタを使用する場合には、印圧を利用した複写という機能を発揮することができず、作業時間がかかって煩雑であった。
【特許文献１】特開平７−２１４９４５号公報
【特許文献２】特開２０００−２０６８８６号公報
【発明の開示】
【発明が解決しようとする課題】
【０００３】
このように、従来の配送伝票は、ノンインパクトプリンタ用とインパクトプリンタ用とに各別に対応する構成となっており、いずれのプリンタでも効率よく印字可能なものは存在しなかった。本発明は、この点に鑑みてなされたもので、ノンインパクトプリンタでもインパクトプリンタでも、効率よく印字できるほか、手書き記入にも対応できる配送伝票を提供することを目的とする。
【課題を解決するための手段】
【０００４】
この目的を達成するため、本発明の請求項１に係る配送伝票は、貼付基材の表面にノンインパクトプリンタ用の第１配送情報記入部とノンインパクトプリンタ及びインパクトプリンタ用の第２配送情報記入部とを設け、前記第２配送情報記入部はその周囲に切り取り線を設けて分離可能となし、前記貼付基材の裏面には、前記切り取り線の外側部分に粘着剤を設けるとともに、この粘着剤を被覆するように保護紙を設け、この保護紙には、前記切り取り線に対応してこれより一回り大きく、かつ、周縁には前記粘着剤が存在するように残存部を切り取り線で区画形成するとともに、前記残存部を除いて剥離可能なように剥離処理を施し、前記残存部の表面には前記第２配送情報記入部の直下に複写用の第３配送情報記入部を設け、前記第２配送情報記入部への記入によって前記第３配送情報記入部に複写記入可能に複写構造を設けたものである。なお、上述の切り取り線は、切り用ミシン目、ハーフスリット、スリットのような、線状の切り取り部をいう。
【０００５】
上述の構成において、インパクトプリンタを使用したり手書きの場合には、ノンインパクトプリンタ及びインパクトプリンタ用の第２配送情報記入部に配送情報を記入することによって、複写用の第３配送情報記入部に複写記入し、前記第２配送情報記入部を従来の貼付票及び受領票の配送情報記入部と同様に使用できる一方、届け先で前記第２配送情報記入部を切り取った後に露出する前記第３配送情報記入部は、従来の届け先控え票の配送情報記入部と同様に使用することができる。
【０００６】
一方、ノンインパクトプリンタを使用する場合には、ノンインパクトプリンタ用の第１配送情報記入部とノンインパクトプリンタ及びインパクトプリンタ用の第２配送情報記入部に配送情報を記入して、前記第１配送情報記入部を従来の貼付票の配送情報記入部と同様に使用でき、届け先で切り取る前記第２配送情報記入部は、従来の受領票の配送情報記入部と同様に使用することができる。
【０００７】
さらに、ノンインパクトプリンタ用の第１配送情報記入部とノンインパクトプリンタ及びインパクトプリンタ用の第２配送情報記入部に依頼主情報のみをノンインパクトプリンタで記入しておき、インパクトプリンタあるいは手書きで前記第２配送情報記入部に届け先情報を記入して、複写用の第３配送情報記入部にこの届け先情報を複写記入し、前記第２配送情報記入部を従来の貼付票及び受領票の配送情報記入部と同様に使用できる一方、届け先で前記第２配送情報記入部を切り取った後に露出する、届け先情報を記入した前記第３配送情報記入部と依頼主情報を記入した前記第１配送情報記入部は、従来の控え票としての貼付票あるいは届け先控え票の配送情報記入部と同様に使用することができる。
【発明の効果】
【０００８】
本発明の請求項１に係る配送伝票によれば、配送情報の印字記入を、印圧のかからないノンインパクトプリンタを使用しても、あるいは印圧のかかるインパクトプリンタを使用しても、好適に行うことができるほか、手書きとの併用も可能になるという効果を奏する。
【発明を実施するための最良の形態】
【０００９】
以下、本発明の好適な実施形態を添付図面に基づいて説明する。ここにおいて、図１は配送伝票の表面側を示す平面図、図２は図１のＡ−Ａ線断面図、図３は配送伝票を被着体である包装容器に貼付した状態を示す断面図、図４はノンインパクトプリンタ及びインパクトプリンタ用の第２配送情報記入部を有する受領票を分離した状態を示す平面図である。
【００１０】
図１及び図２に示すように、配送伝票１は、貼付基材２とその裏面に粘着剤３を介して設けた保護紙４とを備えている。前記貼付基材２には、ノンインパクトプリンタ用の第１配送情報記入部たる配送情報記入欄１５を有する送り状５と、切り取り線である切り用ミシン目６で分離可能に形成したノンインパクトプリンタ及びインパクトプリンタ用の第２配送情報記入部たる配送情報記入欄１１と受領印捺印欄１２を有する受領票７とを並列的に設けている。前記切り用ミシン目６の左下隅部には、三角形状の透孔８を設けて、前記受領票７を摘み易くし、前記切り用ミシン目６の破断を容易にしている。そして、前記粘着剤３は、前記切り用ミシン目６の外側に、受領票７と対応しないよう設けている。
【００１１】
図１に示すように、受領票７の表面には、「受領票」なる表題１０の下に、上述した届け先と依頼主と品名とを記入する配送情報記入欄１１と受領印捺印欄１２、及び伝票番号１３を設けている。一方、送り状５の表面には、「送り状」なる表題１４の下に、上述した届け先と依頼主と品名とを記入する配送情報記入欄１５を設け、また、前記伝票番号１３と同一の伝票番号１６を設けている。なお、図示していないが、通常、配送伝票１は、Ａ４判大の紙片に３面付けで形成しているもので、天地方向に３枚連接された状態にある。
【００１２】
図２に示すように、保護紙４の受領票７と対応する部分には、受領票７より一回り大きく、かつ、周縁には粘着剤３が存在するようにして、残存部１７を切り取り線であるスリット１８で区画形成している。この残存部１７と前記受領票７との対向面には、ロイコ系染料を内包したマイクロカプセル層からなる発色剤層１９と、固体酸からなる顕色剤層２０とを設けて、ノーカーボン複写構造を構成している。また、前記保護紙４には、前記残存部１７に若干係るようにして剥離剤９を設けている。したがって、前記保護紙４は前記残存部１７を除いた部分が貼付基材２に対して剥離可能である。
【００１３】
残存部１７の表面には、第２配送情報記入部である配送情報記入欄１１及び受領印捺印欄１２の直下に、複写用の第３配送情報記入部である配送情報複写記入欄２１及び受領印複写捺印欄２２を設け、前記配送情報記入欄１１への記入と、前記受領印捺印欄１２への捺印によって、前記配送情報複写記入欄２１に複写記入するとともに、前記受領印複写捺印欄２２に印影を複写するよう構成している。また、この残存部１７の表面には、「控え票」という表題２４と、各伝票番号１３，１６と同一の伝票番号２３を設けている（図４参照）。
【００１４】
続いて、上述した配送伝票１の使用方法を説明する。まず、インパクトプリンタあるいは手書きで配送情報を記入する場合は、受領票７の配送情報記入欄１１に配送情報を記入し、配送情報複写記入欄２１に同一内容を複写記入する。この状態で、貼付基材２から、残存部１７を除いて保護紙４を剥離したうえ、露出した粘着剤３で、商品を配送する包装容器２５に貼付して、従来と同様に配送作業をすることができる（図３参照）。商品の届け先では、受領票７の受領印捺印欄１２に受領印の捺印を受けた後、透孔８に対応する前記受領票７の隅部を摘んで、切り用ミシン目６を破断しながら捲り上げ、前記受領票７を貼付基材２から分離すると、残存部１７の控え票の配送情報複写記入欄２１及び受領印複写捺印欄２２が露出する（図４参照）。
【００１５】
このように、インパクトプリンタあるいは手書きで配送情報を記入する場合は、受領票７の配送情報記入欄１１を従来の貼付票の配送情報記入欄と同様に使用できる一方、届け先で前記受領票７を切り取った後に露出する配送情報複写記入欄２１は、従来の届け先控え票の配送情報記入欄と同様に使用することができる。
【００１６】
次に、ノンインパクトプリンタで配送情報を記入する場合には、送り状５の配送情報記入欄１５と受領票７の配送情報記入欄１１に配送情報を記入する。この状態で、上述したと同様に、貼付基材２から、残存部１７を除いて保護紙４を剥離したうえ、露出した粘着剤３で、商品を配送する包装容器２５に貼付して、従来と同様に配送作業をすることができる（図３参照）。商品の届け先では、受領票７の受領印捺印欄１２に受領印の捺印を受けた後、透孔８に対応する前記受領票７の隅部を摘んで、切り用ミシン目６を破断しながら捲り上げ、前記受領票７を貼付基材２から分離する。ここで、配送情報複写記入欄２１は露出する（図４参照）が、空欄のままである。
【００１７】
このように、ノンインパクトプリンタで配送情報を記入する場合は、送り状５の配送情報記入欄１５を従来の貼付票の配送情報記入欄及び届け先控え票の配送情報記入欄と同様に使用できるとともに、受領票７を従来の受領票と同様に使用することができる。
【００１８】
さらに、同一依頼主が多数の配送伝票１を使用する場合には、事前に配送情報記入欄１５と配送情報記入欄１１に依頼主情報のみをノンインパクトプリンタで記入しておき、使用にあたってインパクトプリンタあるいは手書きで配送情報記入欄１１に届け先情報及び品名を記入して、配送情報複写記入部２１にこの届け先情報及び品名を複写記入する。この状態で、上述したと同様に、貼付基材２から、残存部１７を除いて保護紙４を剥離したうえ、露出した粘着剤３で、商品を配送する包装容器２５に貼付して、従来と同様に配送作業をすることができる（図３参照）。商品の届け先では、受領票７の受領印捺印欄１２に受領印の捺印を受けた後、透孔８に対応する前記受領票７の隅部を摘んで、切り用ミシン目６を破断しながら捲り上げ、前記受領票７を貼付基材２から分離すると、残存部１７の控え票の配送情報複写記入欄２１及び受領印複写捺印欄２２が露出する（図４参照）。
【００１９】
このように、ノンインパクトプリンタとインパクトプリンタあるいは手書きを併用する場合は、受領票７を従来の貼付票及び受領票と同様に使用できる一方、届け先で受領票７を切り取った後に露出する、届け先情報を複写記入した配送情報複写記入欄２１と依頼主情報を記入した配送情報記入欄１５は、従来の届け先控え票の配送情報記入欄と同様に使用することができる。
【００２０】
なお、本発明は上述の実施形態に限定されるものではなく、例えば、受領票７と送り状５の位置関係は、送り状５を右にして受領票７を左に設けてもよいほか、上下に並列的に設けてもよいものである。この切り用ミシン目６で囲まれた受領票７の位置に応じて残存部１７が形成されることはいうまでもない。また、切り用ミシン目６の破断を容易にするための透孔８は必ずしも設ける必要はない。さらに、複写構造は、上述した構成のほか、自己発色剤層を設けた構成や、カーボン層を設けた構成を採用することも可能である。またさらに、残存部１７に切り取り線を設けて、配送情報複写記入欄２１と受領印複写捺印欄２２を含む部分を、切り取り可能に構成してもよい。さらにまた、機械読み取り可能な、例えばバーコードからなる管理コードを有する管理票を、貼付基材２に切り取り可能に設けることもできる。また、ノンインパクトプリンタとしては、レーザープリンタ、サーマルプリンタ等があるが、貼付基材２は、各プリンタに応じた材質のものを用いることになる。
【図面の簡単な説明】
【００２１】
【図１】配送伝票の表面側を示す平面図。
【図２】図１のＡ−Ａ線断面図。
【図３】配送伝票を被着体である包装容器に貼付した状態を示す断面図。
【図４】受領票を分離した状態を示す平面図。
【符号の説明】
【００２２】
１      配送伝票
２      貼付基材
３      粘着剤
４      保護紙
５      送り状
６      切り用ミシン目
７      受領票
８      透孔
９      剥離剤
１１，１５      配送情報記入欄
１２      受領印捺印欄
１７      残存部
１８      スリット
１９      発色剤層
２０      顕色剤層
２１      配送情報複写記入欄
２２      受領印複写捺印欄
【図１】
0004800684.tif 000002
【図２】
0004800684.tif 000003
【図３】
0004800684.tif 000004
【図４】
0004800684.tif 000005